(57)【要約】【課題】光源に対するレンズの高さ位置を調整できる構造を実現でき、しかも、照明装置の構造を単純化し易くて、照明装置のコンパクト化や製造コストの低減も実現し易いレンズアッセンブリを提供すること。【解決手段】照明装置１に搭載される光学ブロック７０が、１以上のホルダ嵌合部をＲ方向外方側に有するレンズ３０を備える。また、光学ブロック７０が、レンズ３０を取り囲むように配置され、ホルダ嵌合部３１に係合するレンズ嵌合部を有することでレンズ３０に相対移動不可に固定されるレンズホルダ４０を備える。【選択図】図６
2020072060.tif 000002
【特許請求の範囲】
【請求項１】
照明装置に搭載されるレンズアッセンブリであって、
１以上の第１係合部を径方向の外方側に有するレンズと、
前記レンズを取り囲むように配置され、前記第１係合部に係合する第２係合部を有することで前記レンズに相対移動不可に固定されるレンズホルダと、
を備える、レンズアッセンブリ。
【請求項２】
前記第１係合部が前記レンズの外周縁部に設けられる凹部である一方、前記第２係合部が前記レンズホルダにおいて前記径方向の内側に突出する突出部であり、
前記突出部が、前記凹部に対応する形状を有して前記凹部に嵌り込んでいる、請求項１に記載のレンズアッセンブリ。
【請求項３】
前記レンズホルダが、光軸方向に対して傾斜する１以上の傾斜溝を前記径方向の外方側に有するか、又は前記光軸方向に対して傾斜する一対の傾斜面を前記光軸方向の両側端部に有する１以上の嵌合爪を前記径方向の外方側に有する、請求項１又は２に記載のレンズアッセンブリ。
【請求項４】
前記レンズホルダが、前記照明装置の筐体のうちで光源が固定されている光源固定部に対して静止している静止部に係止される１以上の係止部を有し、前記各係止部が光軸方向に延在する、請求項１乃至３のいずれか１つに記載のレンズアッセンブリ。
【請求項５】
前記レンズホルダが、１以上の突出部又は１以上の凹部を前記径方向の外方側に有する、請求項１又は２に記載のレンズアッセンブリ。
【発明の詳細な説明】
【技術分野】
【０００１】
本開示は、照明装置に用いられるレンズアッセンブリに関する。
【背景技術】
【０００２】
従来、照明装置としては、特許文献１に記載されているものがある。この照明装置は、基台、光源部、円板状のレンズ、及び回転体を備える。基台は、円筒部を光出射側に有し、光源部は、円筒部内に配置された状態で基台の光出射側の端面に固定される。また、上記円筒部は、周方向に互いに間隔をおいて配置される複数の溝を有し、各溝は光軸方向に延在して光軸方向の光出射側に開口する。レンズは、外周部に径方向外方に突出する複数の突起を有し、その突起は上記溝に係合する。その結果、レンズが基台に対して周方向に相対移動できないようになっている。また、回転体は、光軸方向に相対移動可能に基台に取り付けられ、基台に対して回転することで基台に対して光軸方向に相対移動する。また、レンズは、回転体に対して周方向に回転可能な状態であって光軸方向に移動ができない状態で、回転体に取り付けられている。
【先行技術文献】
【特許文献】
【０００３】
【特許文献１】特許第５７１７５１６号公報
【発明の概要】
【発明が解決しようとする課題】
【０００４】
上記照明装置では、レンズが回転体に対して回転可能になっているので、レンズが基台に対して周方向に位置決めされていても、回転体を基台に対して回転させることができる。したがって、回転体を基台に対して回転させることで、光源に対するレンズの高さ位置を変動させることができ、狭角性能の調整を実行でき、所望の調光を実現し易い。
【０００５】
しかし、レンズを、基台に対して相対移動不可にするのに、基台に複数の溝を形成し、レンズにも複数の突起を形成する必要がある。更には、レンズを、回転体に対して周方向に回転可能な状態であって光軸方向に移動ができない状態とするために、基台とは別部材である回転体にレンズを回転可能に拘束する機構を設けることも必要になる。よって、照明装置においてレンズの保持と回転防止を行う構造が複雑なものとなり、照明装置が大型化し易く、製造コストも高くなり易い。
【０００６】
そこで、本開示の目的は、光源に対するレンズの高さ位置を調整できる構造を実現でき、しかも、照明装置の構造を単純化し易くて、照明装置のコンパクト化や製造コストの低減も実現し易いレンズアッセンブリを提供することにある。
【課題を解決するための手段】
【０００７】
上記課題を解決するため、本開示に係るレンズアッセンブリは、照明装置に搭載されるレンズアッセンブリであって、１以上の第１係合部を径方向の外方側に有するレンズと、レンズを取り囲むように配置され、第１係合部に係合する第２係合部を有することでレンズに相対移動不可に固定されるレンズホルダと、を備える。
【発明の効果】
【０００８】
本開示に係るレンズアッセンブリによれば、光源に対するレンズの高さ位置を調整できる構造を実現でき、しかも、照明装置の構造を単純化し易くて、照明装置のコンパクト化や製造コストの低減も実現し易い。
【図面の簡単な説明】
【０００９】
【図１】本開示の一実施形態に係る照明装置の斜視図である。
【図２】光軸調整用部材の斜視図である。
【図３】照明装置の主要構成の分解斜視図である。
【図４】照明装置の基台の主面に配置されている状態の光源モジュールを示す斜視図である。
【図５】枠体の中心軸が光軸方向に略一致している状態における照明装置の一断面図である。
【図６】レンズホルダとそれに保持されたレンズとで構成される光学ブロックの斜視図である。
【図７】レンズホルダの斜視図である。
【図８】レンズの斜視図である。
【図９】回転部材の斜視図である。
【図１０】光学ブロックと回転部材が一体に統合された回転部材アッセンブリの斜視図である。
【図１１】基台の第１部材の斜視図である。
【図１２】図１と異なる角度から見たときの照明装置の斜視図である。
【図１３】照明装置を下から見たときの斜視図である。
【発明を実施するための形態】
【００１０】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、異なる図間において、各部材における、縦、横、高さ等の寸法比は、必ずしも一致しない。また、図面、及び以下の説明において、Ｒ方向は、基台１０の径方向であり、レンズ３０の径方向に一致する。また、θ方向は、基台１０の周方向でありレンズ３０の周方向に一致する。また、Ｚ方向は、光軸方向であり、レンズ３０の軸方向に一致し、基台１０の高さ方向にも一致する。Ｒ方向、θ方向、及びＺ方向は、互いに直交する。また、以下の説明で、上側とは、光軸方向における光出射側とは反対側を指し、下側とは、光軸方向の光出射側を指す。また、以下で説明する傾斜溝を、Ｚ方向に対して傾斜すると共に互いに対向する一対の内側壁面を有する構造であって、一対の内側壁面の間に位置する嵌合部の少なくとも一部を一対の内側壁面でガイドすることで、嵌合部が、一対の内側壁面の延在方向に沿って移動することを可能とする構造として定義する。したがって、傾斜溝は、底部が存在する構造でもよいが、以下で説明する傾斜溝５１のように、光軸方向に対して傾斜する細長い長孔形状を有する貫通孔の構造を有して、回転部材若しくは光学ブロック（レンズアッセンブリ）の側壁を厚さ方向に貫通してもよい。また、以下で説明される構成要素のうち、最上位概念を示す独立請求項に記載されていない構成要素については、任意の構成要素であり、必須の構成要素ではない。
【００１１】
図１は、本開示の一実施形態に係る照明装置１の斜視図である。図１に示すように、照明装置１は、埋込型ユニバーサルダウンライトであり、ホール等の建物の天井に埋め込み配置され、下方に出射される出射光の光軸方向を変動させることができる。より詳しくは、図１に示すように、照明装置１は、基台１０を備える。基台１０は、照明装置１の筐体の上側を構成し、有底円筒状部１１を有する。基台１０は、有底円筒状部１１内に光源６２（図４参照）を取り付ける光源固定部（取付台）として機能し、光源６２に対して静止している静止部に含まれる。基台１０は、上方に突出する複数のフィン１２を有し、基台全体が、光源６２で発生する熱を放散させるヒートシンクとしても機能し、特にフィン１２が光源６２からの熱を外気に放熱する。このため、基台１０は、金属材料等の熱伝導率の高い材料によって構成されると好ましい。基台１０は、例えば、アルミダイカスト等で、有底円筒状部１１とフィン１２を一体成形することで構成される。なお、基台は、有底円筒状部とフィンを接合する構成でもよい。この場合、例えば、有底円筒状部に設けた突起を、フィンに設けられた孔に挿入した後に塑性変形させることで、有底円筒状部とフィンを接続してもよい。なお、基台は、フィンを有さなくてもよい。
【００１２】
照明装置１は、更に、バネ取付部材１５、光軸調整用部材１７、及び枠体２０を備える。バネ取付部材１５、光軸調整用部材１７、及び枠体２０の夫々は、アルミニウム等の金属材料、又はポリブチレンテレフタレート等の樹脂材料によって好適に形成される。基台１０、バネ取付部材１５、光軸調整用部材１７、及び枠体２０は、次に示す如く一体化される。詳しくは、図１に示すように、バネ取付部材１５は、環状平板部１５ａと、２つのバネ取付部１５ｂを含み、２つのバネ取付部１５ｂは、環状平板部１５ａの周方向に間隔をおいた状態で環状平板部１５ａから下側に突出する。また、枠体２０は、筐体の下側を構成する筒状部材であり、環状円板状の上側端面（図示せず）を含む。また、図２、すなわち、光軸調整用部材１７の斜視図に示すように、光軸調整用部材１７は、環状平板部１７ａ、上側基台固定部１７ｂ、及び下側基台固定部１７ｃを含み、上側基台固定部１７ｂは、環状平板部１７ａから上側に突出する一方、下側基台固定部１７ｃは、環状平板部１７ａから下側に突出する。
【００１３】
再度、図１を参照して、バネ取付部材１５の環状平板部１５ａと枠体２０の上側端面とで光軸調整用部材１７の環状平板部１７ａを挟持した状態で、環状平板部１５ａを枠体２０の上側端面にねじ２７で固定する。この固定で、バネ取付部材１５、光軸調整用部材１７、及び枠体２０が一体化される。図２に示すように、上側基台固定部１７ｂは、長孔１７ｄを有し、下側基台固定部１７ｃは、円筒孔１７ｅを有する。図１を参照して、基台１０は、枠体２０に対して所望の角度で傾斜している状態で長孔１７ｄと円筒孔１７ｅ（図２参照）を用いて枠体２０にねじ止めされる。
【００１４】
図１に示すように、枠体２０の中心軸の延在方向がＺ方向に略一致している状態では、基台１０は、ねじ２１で紙面における長孔１７ｄの右端に固定される。ねじ２１による固定位置が、紙面における長孔１７ｄの左側に移動するにしたがって、基台１０が、枠体２０に対して傾斜する。これにより、基台１０が枠体２０に対して所望の角度傾斜している状態で基台１０を枠体２０に固定できる。
【００１５】
照明装置１は、更に、２つの取付バネ２３を備える。２つの取付バネ２３は、枠体外側にその中心軸を挟んで枠体２０の径方向に対向するように配置され、各取付バネ２３は、バネ取付部１５ｂに固定される。取付バネ２３は、例えば、屈曲部を有する金属板によって構成され、板バネ構造を有する。取付バネ２３を歪ませて、取付バネ２３を埋め込み孔の周囲に当接させる。これにより、照明装置１は、取付バネが埋め込み孔内面から受ける水平方向の力で天井の埋め込み孔内面に固定される。
【００１６】
バネ取付部１５ｂは、枠体２０に取り付けられるので、枠体２０に対して静止し、天井の埋め込み孔にも静止する。したがって、枠体２０が埋め込み孔に対して静止するので、枠体２０に対して傾斜角度を調整できる基台１０を天井に対して所望の角度だけ傾斜させることができる。よって、基台１０に固定される光源６２（図４参照）から出射させる出射光の光軸を、鉛直方向に対して所望の角度だけ傾斜させることができるので、照射領域の自由度を格段に高くできる。なお、取付バネは３以上設けられてもよい。また、照明装置の天井への取付構造は、照明装置を天井に固定できる構造であれば如何なる構造でもよく、取付バネを含まなくてもよい。
【００１７】
照明装置１は、光源に対するレンズの光軸方向位置を変動させることができ、出射光を狭角制御できるようになっている。次に、このことについて説明する。図３は、照明装置１の主要構成の分解斜視図である。また、図４は、基台１０の主面２４に配置されている状態の光源モジュール６０を示す斜視図であり、図５は、枠体２０の中心軸がＺ方向に略一致している状態における照明装置１の断面図である。
【００１８】
図３に示すように、照明装置１は、基台１０及び枠体２０に加えて、レンズ３０、レンズホルダ４０、及び回転部材５０を備える。また、図４に示すように、照明装置１は、基台１０の主面に固定される光源モジュール６０を備え、光源モジュール６０は、基板６１と、光源６２を有する。基板６１は、平面視で略矩形の形状を有し、光源６２は、円板状の形状を有し、基板６１の下面（実装面）の略中央に配設される。光源モジュール６０は、例えば、ＣＯＢ（Chip On Board）構造を有し、光源６２は、基板６１に実装された複数のＬＥＤ（light emitting diode）と、複数のＬＥＤを封止する封止部材を含む。
【００１９】
基板６１は、例えば、セラミックス基板、樹脂基板、又はメタルベース基板等で構成される。詳述しないが、基板６１には、一対の電極端子と、所定パターンの金属配線が形成される。一対の電極端子は、ＬＥＤを発光させるための直流電力を外部から受電するために設けられる。また、所定パターンの金属配線は、ＬＥＤ同士を電気的に接続するために設けられる。
【００２０】
ＬＥＤは、発光素子の一例である。ＬＥＤは、例えば、単色の可視光を発するベアチップで構成され、通電されれば青色光を発する青色ＬＥＤチップで構成される。複数のＬＥＤは、例えば基板６１にマトリクス状に配置される。なお、ＬＥＤは、基板に１つのみ実装されてもよい。封止部材は、例えば、透光性樹脂で構成され、蛍光体を含む。蛍光体は、ＬＥＤからの光を波長変換する役割を果たす。封止部材は、例えば、シリコーン樹脂に蛍光体粒子を分散させた蛍光体含有樹脂で構成される。光源モジュール６０が白色光を出射し、ＬＥＤが青色光を発光する青色ＬＥＤチップである場合、蛍光体粒子は、例えばＹＡＧ系の黄色蛍光体で構成される。
【００２１】
なお、封止部材は、例えば、全てのＬＥＤを一括封止してもよく、複数のＬＥＤを列ごとにライン状に封止してもよく、各ＬＥＤを１つずつ個別に封止してもよい。また、光源は、ＬＥＤ以外の発光素子で構成されてもよく、半導体レーザ素子や、有機ＥＬ（Electro Luminescence）素子若しくは無機ＥＬ素子等の固体発光素子等で構成されてもよい。又は、光源は、白熱灯や蛍光灯で構成されてもよい。
【００２２】
図４に示すように、基板６１は、基台１０の主面２４に設けられた凹部６４に収容される。また、照明装置１は、図示しない２つの基板ホルダを有し、２つの基板ホルダは、基板６１の下側かつ長手方向又は幅方向の両側に配置される。基板ホルダは、例えば、基台１０に固定された状態でＺ方向から見たときに基板の長手方向又は幅方向の両側端部６１ｅに重なる基板受部（図示せず）を有する。基板６１は、基板受部で主面２４側に押圧されることで基台１０に固定される。図５を参照して、レンズ３０は、Ｚ方向に関して、光源６２（図４参照）よりも光出射側に配置される。より正確には、レンズ３０におけるＺ方向の光出射側の端面９６は、光源６２よりもＺ方向の光出射側に位置する。また、レンズホルダ４０は、レンズ３０を取り囲むように配置され、回転部材５０は、レンズホルダ４０を取り囲むように配置される。
【００２３】
図６は、レンズホルダ４０とそれに保持されたレンズ３０とで構成されるレンズアッセンブリとしての光学ブロック７０の斜視図である。また、図７は、レンズホルダ４０の斜視図であり、図８は、レンズ３０の斜視図である。図６に示すように、レンズホルダ４０は、環状部材であり、レンズ３０を取り囲むように配置される。レンズホルダ４０は、アルミニウム等の金属材料、又はポリブチレンテレフタレート等の樹脂材料によって好適に形成される。また、レンズ３０は、透光性を有する透光性材料によって構成され、アクリル、ポリカーボネート、シリコーン等の透明樹脂材料、又は、ガラス材料によって形成されると好ましい。
【００２４】
図７に示すように、レンズホルダ４０は、θ方向に間隔をおいて配置される３つの係止部４１を有し、各係止部４１は、Ｚ方向に延在する。係止部４１は、Ｒ方向内方に凸の凹面４１ａを含み、凹面４１ａはＲ方向外方を向き、Ｚ方向に延在する。係止部４１の役割については後で説明する。また、レンズホルダ４０は、３つのレンズ嵌合部４２を有し、３つのレンズ嵌合部４２は、θ方向に略等間隔に配置されて内周側に配置される。レンズ嵌合部４２は、Ｒ方向内方に突出する突出部で構成される。図８に示すように、レンズ３０は、Ｚ方向下側に行くにしたがって末広がりとなる形状を有する。レンズ３０は、外周側の下側端部にθ方向に略等間隔に配置される３つのホルダ嵌合部３１を有する。ホルダ嵌合部３１は、レンズ嵌合部４２（図７参照）の形状に対応する形状であって、Ｒ方向内側に窪む凹部で構成される。レンズ嵌合部４２をホルダ嵌合部３１に圧入で嵌合させることで、レンズ３０がレンズホルダ４０に固定され、その結果、図６に示す光学ブロック７０が構成される。ホルダ嵌合部３１は、第１係合部の一例であり、レンズ嵌合部４２は、第２係合部の一例である。
【００２５】
次に、回転部材５０に対する光学ブロック７０の相対移動可能な統合構造について説明する。図７に示すように、レンズホルダ４０は、外周側に２つの嵌合爪４８を有する。２つの嵌合爪４８は、Ｒ方向に対向するように配置され、各嵌合爪４８は、一対の傾斜面４８ａ,４８ｂを有する板形状を有する。各傾斜面４８ａ,４８ｂは、Ｚ方向に対して傾斜する方向に延在する。
【００２６】
図９は、回転部材５０の斜視図である。図９に示すように、回転部材５０は、略円筒状の部材であり、θ方向に間隔をおいて配置される２つの傾斜溝５１を有する。傾斜溝５１は、螺旋溝の一部からなる形状を有する。傾斜溝５１は、Ｚ方向に対して傾斜し、θ方向一方側に行くにしたがって回転部材５０のＺ方向下側からＺ方向上側まで延在する。傾斜溝５１は、回転部材５０を厚さ方向に貫通する細長い長孔形状の貫通孔の構造を有し、Ｚ方向に対向する一対の内壁面（傾斜面）５１ａ,５１ｂを含む。
【００２７】
図１０に示すように、光学ブロック７０においてＲ方向外方に突出する嵌合爪４８を、回転部材５０の傾斜溝５１に嵌合させることで、光学ブロック７０と回転部材５０が一体に統合され、回転部材アッセンブリ８０が構成される。嵌合爪４８は、傾斜溝５１内を傾斜溝５１の延在方向に移動可能になっている。光学ブロック７０が、図１０に示す状態から回転部材５０に対して図１０にθ１に示す方向に相対回転すると、レンズ３０が回転部材５０に対してＺ方向上側に移動する。このように、傾斜溝５１内における嵌合爪４８の存在位置を調整することで、回転部材５０に対するレンズ３０のＺ方向位置を調整できるようになっている。
【００２８】
次に、基台１０に対する回転部材アッセンブリ８０の取付構造について説明する。図３に示すように、基台１０は、２分割構造を有し、第１部材１０ａと第２部材１０ｂを含む。図１１は、基台１０の第１部材１０ａの斜視図である。図１１に示すように、基台１０は、主面２４側からＺ方向下側に延在する複数の柱状部（リブ）１８を有する。柱状部１８は、光源６２に対して静止している静止部の一例である。柱状部１８の先端面は、Ｒ方向内方側に凸の凸面１８ａとなっている。本実施例では、図１１に示す第１部材１０ａが、２つの柱状部１８を有し、第２部材１０ｂが、１つの柱状部（図示せず）を有する。
【００２９】
３つの柱状部１８の凸面１８ａは、回転部材アッセンブリ８０に含まれるレンズホルダ４０の３つの係止部４１の凹面４１ａ（図１０参照）に係止される。その後、図１２、すなわち、図１と異なる角度から見たときの照明装置１の斜視図に示すように、ねじ８８で第１部材１０ａと第２部材１０ｂを一体化することで、回転部材アッセンブリ８０が基台１０に取り付けられ、基台１０と一体化される。
【００３０】
図５に示すように、回転部材５０は、第１環状フランジ部５７と、それよりもＺ方向下側に位置する第２環状フランジ部５８を有し、Ｚ方向におけるそれらのフランジ部５７,５８の間には、環状溝５９が設けられる。また、基台１０は、Ｚ方向下側にＲ方向内方側に突出する環状突出部１９を有する。第１部材１１ａと第２部材１１ｂが一体化されて、基台１０と回転部材アッセンブリ８０が統合された状態で、環状突出部１９は環状溝５９内に配置される。Ｚ方向から見たとき、第１環状フランジ部５７は、環状突出部１９に重なる部分を有し、基台１０においてＺ方向下側に位置する環状端面１４は、第２環状フランジ部５８に重なる部分を有する。図５に示すように、第１環状フランジ部５７の下面が環状突出部１９の上面に接触している状態で、環状端面１４は、第２環状フランジ部５８の上面に僅かな隙間を介してＺ方向に対向する。基台１０に対する回転部材５０の下側移動は、環状突出部１９で規制され、基台１０に対する回転部材５０の上側移動は、基台１０の環状端面１４で規制される。その結果、回転部材５０は、基台１０に対してＺ方向位置が略変化しない状態で基台１０に対して相対回転可能となる。上記僅かな隙間が存在するため、回転部材５０を基台１０に対して円滑に回転させることができる。基台１０に対する回転部材５０のＺ方向位置は、その僅かな隙間のＺ方向長さだけ変動する。よって、繰り返しになるが、基台１０に対する回転部材５０のＺ方向位置は略変動しない。
【００３１】
再度、図９を参照して、回転部材５０は、人がそれをつかんで回転させるための環状の把持部５２をＺ方向下側に有する。図１３、すなわち、照明装置１を下から見たときの斜視図に示すように、基台１０と回転部材５０に間には隙間が存在する。したがって、人が、指をその隙間に挿入して回転部材５０の把持部５２を回転させることができ、基台１０に対して回転部材５０をθ方向の双方向に自在に回転させることができる。
【００３２】
上記構成において、人が把持部５２を用いて基台１０に対して回転部材５０を回転させたとする。すると、光学ブロック７０が、その係止部４１の柱状部１８への係止によって基台１０に対して回転できない状態となっているため、回転部材５０の回転と共に連れ回りすることがなく、回転部材５０が、光学ブロック７０に対して相対回転する。したがって、この相対回転によって、嵌合爪４８が、傾斜溝５１内を移動し、その結果、光学ブロック７０が回転部材５０に対してＺ方向に相対移動する。よって、上述のように、回転部材５０が回転しても、回転部材５０のＺ方向位置が殆ど変化しないので、光学ブロック７０のＺ方向位置を自在に変動させることができ、それに含まれるレンズ３０のＺ方向位置も自在に変動させることができる。
【００３３】
以上、光学ブロック（レンズアッセンブリ）７０は、照明装置１に搭載される。また、光学ブロック７０は、１以上のホルダ嵌合部（第１係合部）３１をＲ方向（径方向）の外方側に有するレンズ３０を備える。また、光学ブロック７０は、レンズ３０を取り囲むように配置され、ホルダ嵌合部３１に係合するレンズ嵌合部（第２係合部）４２を有することでレンズ３０に相対移動不可に固定されるレンズホルダ４０を備える。
【００３４】
本開示によれば、上述のように、光源６２に対するレンズ３０の高さ位置（Ｚ方向位置）を調整できる構造を実現できる。更には、レンズ３０がレンズホルダ４０のみに接触して固定され、従来構造と異なりレンズ３０が異なる２以上の部材に接触することがない。よって、照明装置１の構造を単純なものにし易くて、照明装置１のコンパクト化を実行し易く、照明装置１の製造コストも低減し易い。
【００３５】
また、ホルダ嵌合部３１がレンズ３０の外周縁部に設けられる凹部である一方、レンズ嵌合部４２がレンズホルダ４０においてＲ方向の内側に突出する突出部でもよい。そして、上記突出部が、上記凹部に対応する形状を有して凹部に嵌り込んでもよい。
【００３６】
上記構成によれば、レンズホルダ４０に対するレンズ３０の確実な固定を、簡単安価に実行できる。
【００３７】
また、レンズホルダ４０が、Ｚ方向に対して傾斜する一対の傾斜面４８ａ,４８ｂをＺ方向（光軸方向）の両側端部に有する１以上の嵌合爪４８をＲ方向の外方側に有してもよい。
【００３８】
本構成によれば、上述のように、嵌合爪４８を回転部材５０の傾斜溝５１に収容することで、光学ブロック７０を、光源６２に対して静止している基台１０に対してＺ方向に移動させることができる。
【００３９】
また、回転部材５０の傾斜溝５１に収容される嵌合部が、Ｚ方向に対して傾斜する一対の傾斜面４８ａ,４８ｂをＺ方向（光軸方向）の両側端部に有する嵌合爪４８で構成される。したがって、嵌合部を嵌合させる際により広範囲な外面部を傾斜溝５１の一対の内壁面５１ａ,５１ｂに接触させることができる。よって、光学ブロック７０がＺ方向に移動する際の光学ブロック７０の挙動を安定させることができる。
【００４０】
更には、レンズ３０のＺ方向の移動範囲の高さを必要として、所定以上の高さを必要とする側壁を有する傾斜溝５１を光学ブロック７０でなくて、光学ブロック７０よりも径方向外側の回転部材５０に配置できる。したがって、所定以上の高さを必要とする側壁をレンズ３０の近傍に設ける必要がないので、レンズ３０の設計の自由度を大きくでき、レンズ３０のサイズも大きくし易い。
【００４１】
なお、本構成に関し、上記実施例のように、光学ブロック７０が、θ方向に互いに間隔をおいて配置される複数の嵌合爪４８を有し、回転部材５０が、複数の傾斜溝５１を有すると好ましく、各傾斜溝５１に１つのみの嵌合爪４８が収容されると好ましい。
【００４２】
また、レンズホルダ４０が、θ方向に互いに間隔をおいて配置されると共に照明装置１の筐体のうちで光源６２が固定されている基台（光源固定部）１０に対して静止している複数の柱状部（静止部）１８に係止される１以上の係止部４１を有してもよい。また、係止部４１がＺ方向に延在してもよい。
【００４３】
本構成によれば、係止部４１が、光源６２に対して静止している柱状部１８に係止される。したがって、回転部材５０をそのＺ方向位置が略変わらない状態で基台１０に対して回転させたときに、光学ブロック７０が基台１０に対して連れ回ることを防止できる。よって、光学ブロック７０のＺ方向の移動を円滑かつ容易に実行できる。
【００４４】
また、係止部４１がＺ方向に延在するので、柱状部１８に対する係止部４１の係止箇所のＺ方向長さを大きくでき、その係止を頑丈で確実なものとできる。よって、回転部材５０に対する光学ブロック７０の連れ回りを確実に防止でき、光学ブロック７０のＺ方向の移動時の挙動を安定させることができる。
【００４５】
なお、本開示は、上記実施形態およびその変形例に限定されるものではなく、本願の特許請求の範囲に記載された事項およびその均等な範囲において種々の改良や変更が可能である。
【００４６】
例えば、上記実施形態では、レンズ嵌合部４２が、Ｒ方向内方に突出する突出部で構成され、ホルダ嵌合部３１が、Ｒ方向内側に窪む凹部で構成される場合について説明した。しかし、レンズ嵌合部が、Ｒ方向外側に窪む凹部で構成され、ホルダ嵌合部が、Ｒ方向外方に突出すると共にその凹部に嵌合する突出部で構成されてもよい。
【００４７】
また、回転部材５０が傾斜溝５１を有し、光学ブロック７０が嵌合爪４８を有する場合について説明した。しかし、光学ブロック（レンズアッセンブリ）が外周面に光軸方向に対して傾斜する傾斜溝を有してもよく、回転部材が、傾斜溝に嵌り込んで回転部材が回転すると傾斜溝内における存在位置が変動する嵌合爪を有してもよい。なお、この場合、光学ブロックが、θ方向に互いに間隔をおいて配置されると共にＺ方向に対して傾斜する複数の傾斜溝をＲ方向の外方側に有し、回転部材が、複数の嵌合爪を有すると好ましい。そして、１つのみの嵌合爪を各傾斜溝に収容すると好ましい。
【００４８】
また、傾斜溝５１が、回転部材５０を厚さ方向に貫通する場合について説明した。しかし、傾斜溝は、回転部材又は光学ブロックの側壁部を厚さ方向に貫通しなくてもよく、一対の側壁部の間を連結する底部を有してもよい。但し、傾斜溝が、それが形成される部材を厚さ方向に貫通する貫通孔の構造であると、嵌合爪の該厚さ方向の寸法を大きくできて嵌合爪の体積を大きくできる。よって、嵌合爪の強度を大きくできて好ましい。
【００４９】
また、傾斜溝５１に嵌り込む嵌合部が、一対の傾斜面４８ａ,４８ｂを有する板形状の嵌合爪４８である場合について説明した。しかし、傾斜溝に嵌り込む嵌合部は、板形状以外如何なる形状でもよくて、例えば、ピン形状等を有してもよい。また、この場合、回転部材の内側に光学ブロックを配置した状態で先端部に雄ねじを有するピンを回転部材の外側から回転部材の傾斜溝を通過するように光学ブロックの側面の雌ねじに締め込むことで回転部材と光学ブロックを一体化してもよい。
【００５０】
また、レンズホルダ４０が、θ方向に互いに間隔をおいて配置される３つの係止部４１を有していたが、レンズホルダは、１以上の係止部を有すればよく、θ方向に互いに間隔をおいて配置される２以上の係止部を有すると好ましい。また、レンズホルダ４０が、θ方向に互いに間隔をおいて配置される３つのレンズ嵌合部４２を有し、レンズ３０が、θ方向に互いに間隔をおいて配置される３つのホルダ嵌合部３１を有する場合について説明した。しかし、レンズホルダは、１以上のレンズ嵌合部を有すればよくて、θ方向に互いに間隔をおいて配置される２以上のレンズ嵌合部を有すると好ましい。また、レンズも、１以上のホルダ嵌合部を有すればよくて、θ方向に互いに間隔をおいて配置される２以上のホルダ嵌合部を有すると好ましい。また、照明装置１が、θ方向に互いに間隔をおいて配置される２つの傾斜溝５１を有する場合について説明した。しかし、照明装置は、１つのみの傾斜溝を有してもよく、θ方向に互いに間隔をおいて配置される３以上の傾斜溝を有してもよい。なお、照明装置が、Ｎ（Ｎは、いずれかの自然数）の傾斜溝を有する場合、回転部材が、基台に対して（３６０／Ｎ）°回転すればよく、照明装置が、２以上の傾斜溝を有する場合、回転部材が基台に対して３６０°回転する必要はない。
【００５１】
また、レンズホルダ４０が、Ｚ方向に延在する係止部４１を有する場合について説明した。しかし、基台に対するレンズホルダの連れ回り防止を、それ以外の如何なる構造で行ってもよい。例えば、レンズホルダの高さ方向上側に径方向外方に延びる突出部を設け、この突出部の径方向外方側の先端部を、基台の内面に設けられた凹部に収容することでレンズホルダの基台に対する連れ回り防止を行ってもよい。そのような係止は、本実施例のように基台を分割構造にすることで実現できる。
【００５２】
また、光学ブロック７０が、その係止部４１の柱状部１８への係止によって基台１０に対して回転できない状態となる場合について説明した。しかし、光学ブロック（レンズアッセンブリ）は、光源に対して静止する静止部に対して周方向の狭い所定領域のみ周方向に回転可能になっていてもよく、回転部材が回転したとき、光学ブロックが周方向の僅かな範囲のみ回転部材に連れ回る構成でもよい。光源に対して静止している静止部に対する光学ブロックの相対回転を許容する構成を採用しても、相対回転の範囲を所定の周方向領域に制限することで光学ブロックの光軸方向の移動を円滑に実行できる。
【００５３】
また、回転部材５０に、第１環状フランジ部５７と、それよりもＺ方向下側に位置する第２環状フランジ部５８を設け、基台１０の環状突出部１９を、第１環状フランジ部５７と第２環状フランジ部５８の間に配置する場合について説明した。そして、回転部材５０を、基台１０に対するＺ方向位置が略変わらない状態で回転可能にする構成を実現する場合について説明した。
【００５４】
しかし、実施例で説明した構成と異なる構成で、回転部材が、Ｚ方向位置が略変わらない状態で基台に対して回転可能となるようにしてもよい。例えば、回転部材の第１環状フランジ部、回転部材の第２環状フランジ部、及び基台の環状突出部のうちの１以上は、環状構造でなくてもよく、非環状でもよい。
【００５５】
また、回転部材５０が、２つの環状フランジ部を有し、基台１０が、径方向内方に突出する１つの環状突出部１９を有する場合について説明した。しかし、回転部材が、径方向外方に突出する１つのみの環状突出部を有し、基台が、径方向内方に突出すると共に光軸方向位置が異なる２つの環状フランジ部を有する構成でもよい。そして、照明装置が組み立てられた際、光軸方向から見たときに環状突出部の径方向外方の先端が２つの環状フランジ部の両方に重なる状態で、環状突出部が２つの環状フランジ部の間に位置してもよい。要は、照明装置は、回転部材がそのＺ方向位置が略変わらない状態で基台に対して回転可能となる如何なる構造を有してもよい。
【００５６】
また、回転部材５０が、光源６２に対してＺ方向位置が略変わらずに回転可能となっている構成について説明した。しかし、回転部材は、例えば、筒状の筐体の内周面に螺合するような構造でもよく、筐体に対してＺ方向位置が変動可能な構成でもよい。そして、光学ブロック（レンズアッセンブリ）が、その周方向に互いに間隔をおいて配置される１以上の突出部又は凹部を径方向の外方側に有して、その突出部又は凹部が回転部材に設けられた凹部又は凸部に嵌合する構成でもよい。このようにして、レンズがＺ方向に移動可能な構造を実現してもよい。
【００５７】
また、光学ブロック７０が光源６２に対してＺ方向に移動可能な場合について説明した。しかし、レンズアッセンブリは光源に対してＺ方向に移動不可能でもよい。
【００５８】
また、光学ブロック７０を備える照明装置１が、枠体２０の高さ方向に対する光軸方向の傾斜角度が変動可能な構成を有し、照明装置１が、所謂ユニバーサル型のダウンライトである場合について説明した。しかし、レンズアッセンブリを備える照明装置は、鉛直方向に対する光軸方向の傾斜角度を調整不可能な構成でもよく、ユニバーサル型の照明装置でなくてもよい。
【００５９】
また、ダウンライトやスポットライトは多種多様な構造が存在するが、本開示の技術は、それらの多種多様のダウンライトやスポットライトのうちのいずれの構造が基本となっていてもよい。また、光学ブロック７０を備える照明装置１が、埋め込み型ダウンライトである場合について説明したが、レンズアッセンブリを備える照明装置は、レールに吊り下げられる形式や、天井に吊り下げられる形式でもよい。
【符号の説明】
【００６０】
１  照明装置、  １０  基台（光源固定部）、  １８  柱状部（静止部）、  ３０  レンズ、  ３１  ホルダ嵌合部（第１係合部）、  ４０  レンズホルダ、  ４１  係止部、  ４２  レンズ嵌合部（第２係合部）、  ４８  嵌合爪、  ４８ａ,４８ｂ  一対の傾斜面、  ７０  光学ブロック（レンズアッセンブリ）、  θ方向  周方向、  Ｒ方向  径方向、  Ｚ方向  光軸方向。
【図１】
2020072060.tif 000003
【図２】
2020072060.tif 000004
【図３】
2020072060.tif 000005
【図４】
2020072060.tif 000006
【図５】
2020072060.tif 000007
【図６】
2020072060.tif 000008
【図７】
2020072060.tif 000009
【図８】
2020072060.tif 000010
【図９】
2020072060.tif 000011
【図１０】
2020072060.tif 000012
【図１１】
2020072060.tif 000013
【図１２】
2020072060.tif 000014
【図１３】
2020072060.tif 000015